(57)【要約】【課題】  ある原稿から刷られた印刷物が複数部あり、それらの印刷物に別個に、ボールペン等で直接あるいは原稿の電子データを編集してデータが書き加えられた場合に、この新たな複数の書き込みを互いの印刷物に反映させる手段がない。【解決手段】  原稿のデータを保存しておく。あらかじめ保存してある原稿データとの差分データおよびその座標を取得する。【選択図】  図５
2009147435.tif 000002
【特許請求の範囲】
【請求項１】
オリジナル原稿のデータ(以下、オリジナル画像データ)を保存する手段と、加筆原稿のデータ(以下、追記画像データ)をスキャンする手段と、オリジナル画像データと加筆原稿の差分データ(以下、差分データ)を検出する手段と、追記画像データの優先度を決定する手段と、発生元を区別する手段と、オリジナルの画像が印刷されている用紙の余白を検出する手段と、余白に1つ以上の差分データを配置する手段と、差分データ同士が重なる場合には優先度に応じて位置をずらして配置する手段を備えた画像処理装置。
【請求項２】
請求項１において、差分データを配置する位置をずらしても余白に差分データが入らない場合には、差分データを縮小して配置する手段を有することを特徴とする請求項１記載の画像処理装置。
【請求項３】
請求項１において、位置をずらしても元のデータ位置がわかる様に元のデータ位置を明示する手段を有することを特徴とする請求項１記載の画像処理装置。
【請求項４】
請求項１において、オリジナルの画像が印刷されている用紙上に差分データの発生元別に色を設定して印刷する手段を有することを特徴とする請求項１記載の画像処理装置。
【請求項５】
前記加筆原稿をスキャンする手段は、ＡＤＦまたは原稿台に原稿をセットし読み取る請求項１記載の画像処理装置。
【請求項６】
前記差分データを検出する手段は、ラスタ化したオリジナル画像データとスキャンした追記画像データを比較し、ある条件を超える差分を検出することを特徴とする請求項１記載の画像処理装置。
【請求項７】
前記差分データを検出する手段は、ＰＤＬで記述されたオリジナル原稿データとスキャンした追記画像データを比較し、ある条件を超える差分データを検出することを特徴とする請求項１記載の画像処理装置。
【請求項８】
前記差分データの優先度を決定する手段は、あらかじめ設定した情報に基づいて優先度を決定することを特徴とする請求項１に記載の画像処理装置。
【請求項９】
前記差分データの優先度を決定する手段は、ユーザがＵＩから設定することによって優先度を決定することを特徴とする請求項１記載の画像処理装置。
【請求項１０】
前記差分データの優先度を決定する手段は、ユーザがＵＩから設定するにあたってはそのタイミングは問わず設定可能なことを特徴とする請求項１記載の画像処理装置。
【請求項１１】
前記差分データの発生元を区別する手段は、発生元を区別する番号が１から自動的に割り付けられることを特徴とする請求項１記載の画像処理装置。
【請求項１２】
前記発生元を区別する番号は同一人物の追記データを同じ番号で管理するものであることを特徴とする請求項１記載の画像処理装置。
【請求項１３】
前記オリジナルの画像が印刷されている用紙の余白を検出する手段は、オリジナル画像データより、文字および画像データのない領域を検出することを特徴とする請求項１記載の画像処理装置。
【請求項１４】
前記余白に1つ以上の差分データを配置する手段は、前記余白に前記差分データがくるように画像形成を行うことを特徴とする請求項１記載の画像処理装置。
【請求項１５】
請求項１４において、前記差分データ同士の位置が重なる場合には優先度に応じて位置をずらして配置する手段とは、優先度の低い方の差分データを他の余白へずらして配置することを特徴とする請求項１記載の画像処理装置。
【請求項１６】
請求項１４において、前記差分データを縮小して配置する手段は、前記差分データを移動させても入る余白がない場合に、前記差分データを縮小して余白へ配置することを特徴とする請求項１記載の画像処理装置。
【請求項１７】
前記、差分データの発生元別に色を設定して印刷する手段は、発生元別に異なる色を用いて印刷することを特徴とする請求項１記載の画像処理装置。
【発明の詳細な説明】
【技術分野】
【０００１】
本発明は、紙などの記録媒体から画像を読み取るスキャナ、原稿や画像データを処理する画像処理システム及びその制御方法、画像情報を記録媒体に印刷するプリンタに関する。特に、原稿との差分を検出して他の印刷物へ出力する画像処理システム及びその制御方法、プログラム、並びに画像形成装置に関するものである。
【背景技術】
【０００２】
近年、原稿への追記データを原稿が印刷された紙面（紙面）へ上書き印刷する方法として、紙面をスキャナによって取り込み、紙面と原稿が同一のものであることを確認した後、差分データを紙面へ上書き印刷する方法が提案されている。(特許文献１参照)
あるいは、紙面をスキャナによって取り込み、原稿の電子データと比較し、不一致領域を検出したときに、紙面上で前記不一致領域に対応する箇所が空白であればデータを追記する方法が提案されている。しかし不一致領域に画像がある場合には、予め設定された優先度に応じて、ファイルもしくは紙面のどちらかの画像のみが他方へ反映される。(特許文献２参照)
【特許文献１】特開平7-250237号公報
【特許文献２】特開平11-127341号公報
【発明の開示】
【発明が解決しようとする課題】
【０００３】
しかしながら、上記特許文献１の従来技術では電子データのオリジナル画像データに追記・修正を行った際、追記画像データのみを紙面へ一度のみ上書きすることを目的としており、紙面への追記に関してはなんら保証するものではない。
【０００４】
また、上記の特許文献２では、原稿の電子データへの追記及び紙面への追記の双方を考慮し、常に原稿と紙面の一致を測ることを提案している。しかし、電子データと紙面の双方に追記が発生している状態で更新を行おうとすると、競合処理に入った場合、あらかじめ設定されている優先順位に応じてどちらかの情報が失われてしまうことがある。
【０００５】
本発明は上記した従来技術の状況に鑑みてなされたものであり、原稿への追記データを他の紙原稿へ反映させるために上書き印刷することを可能にする。とくに、複数人の独立した追記画像データをお互いの紙面に最小限の手順で反映させることを目的とする。
【課題を解決するための手段】
【０００６】
本発明の画像処理装置は、オリジナル画像データを保存する手段と、追記画像データをスキャンする手段と、差分データを検出する手段と、追記画像データの優先度を決定する手段と、発生元を区別する手段と、オリジナルの原稿が印刷されている用紙の余白を検出する手段と、余白に1つ以上の差分データを配置する手段と、差分データ同士が重なる場合には優先度に応じて位置をずらして配置する手段を備えることを特徴とする。
【発明の効果】
【０００７】
本発明により、同じ原稿からの複数部の印刷物の余白に書き込みが加えられた場合に、簡単な操作で互いの書き込み情報を共有することが可能になる。複数人の書き込み情報をオリジナル画像データを出力した印刷物に上書き印刷することができる。あるいは、白紙に対してオリジナル画像データと書き込み情報を同時に印刷することができる。書き込み情報の記入者を区別する情報を付加することも可能なため、効率的な情報共有と無駄な印刷用紙の使用量削減とが可能になる。
【０００８】
また、本発明では出力したい追記データ同士の位置に重なりが生じる場合に、優先度の低いものの位置をずらすことで可能な限りの上書き情報を搭載することができる。その際、データの元の位置を明示しておくことが可能なため、ユーザが書き込んだ情報は失われずにすむ。
【０００９】
さらに、上記の手段をもってしても入りきらないデータがある場合には、データを縮小することで可能な限りの上書き情報を搭載することができる。
【００１０】
以下、本発明の実施の形態を図面を参照して説明する。
【発明を実施するための最良の形態】
【００１１】
（実施例１）
本システムは同じ原稿からの複数部の印刷物(以下、印刷物)に対して独立にその余白に書き込みが加えられた場合に、各印刷物からその追記画像データを検出し、追記画像データを全てまとめて原稿の余白へ上書き印刷することを実現する処理である。
【００１２】
図１は、本発明の第１の実施の形態に係る画像処理システムの全体構成を示すブロック図である。
【００１３】
図１において、本画像処理システムは、例えば、企業の事務所や事業所内等などでＬＡＮ１０４を有する環境で実現される。
【００１４】
オフィス１０内に構築されたＬＡＮ１０４には、印刷機能、スキャン機能、複写（コピー）機能、及びファクシミリ機能など複数の機能を有するＭＦＰ（Multi Function Printer）１０１と、印刷機能のみを有するＳＦＰ（ステップＳingle Function Printer）１０２と、クライアントＰＣ１０３とプリンタサーバ１０５が接続されている。
【００１５】
クライアントＰＣ１０３は、ＣＰＵ、ＲＡＭ、ＲＯＭ、ハードディスク、キーボードやマウス等の操作部、及びモニタ等をそれぞれ備え、ユーザが画像データ（イメージデータ）を作成または編集するためのＰＣ（Personal Computer）である。
【００１６】
クライアントＰＣ１０３は、ＭＦＰ１０１及びＳＦＰ１０２の印刷を制御するプリンタドライバを有する。
【００１７】
ＭＦＰ１０１及びＳＦＰ１０２は、クライアントＰＣ１０３から出力された印刷データを受信し、画像の印刷出力を行う。特に、ＭＦＰ１０１はオートドキュメントフィーダ（ＡＤＦ）または原稿台ガラス上に置かれた原稿から画像データを読み取り印刷出力を行う。
【００１８】
図２は、図１のＭＦＰ１０１の内部構成を示すブロック図である。
【００１９】
図２において、ＭＦＰ１０１は、データの物理的な入出力に係わる機構、データの処理に係わる機構とインタフェースに係わる機構を備える。データの物理的な入出力に係わる機構は、ＡＤＦを含む原稿の画像を読み取るための画像読み取り部２０２と手動で給紙を行うための手差しトレー２０７を備える。データ処理装置２０３はデータの処理に係わる機構である。インタフェースに係わる機構は、本システムの使用に際して手動で設定を行うための設定ＵI２０６とＬＡＮ１０４に接続するためのネットワークＩＦ２０５を備える。
【００２０】
画像読み取り部２０２は、ＡＤＦまたは原稿台ガラス上に載置された原稿を不図示の光源で照射し、その反射光をレンズで固体撮像素子上に結像して、固体撮像素子からラスタ化された画像読み取り信号を６００ＤＰＩの密度の画像信号として出力するものである。
【００２１】
図３は、図１のプリンタサーバ１０５の内部構成を示すブロック図である。主にデータの保存に用いられ、本システムにおいては非常に重要な役割を担う機構である。
【００２２】
ここで、オリジナルの画像データをオリジナル画像データ、余白に書き込みが加えられた画像データを追記画像データ、オリジナル画像データと追記画像データとの差を抽出したものを差分画像データとする。
【００２３】
図３において、プリンタサーバ１０５はデータの保存に係わる機構とネットワークＩＦ３０５を備える。オリジナル画像データ記憶部３０１はオリジナル画像データを、追記画像データ記憶部３０２は追記画像データを、差分データ画像記憶部３０３は差分画像データを保存する。前記プリンタサーバの各記憶部は、ネットワークＩＦ３０５を介してネットワーク上のＭＦＰ１０１から参照され、本発明の処理に必要な画像にアクセスされる。
【００２４】
本発明において主要な処理はスキャン機能とプリント機能である。これらの機能について、本システムにおいて重要なデータ記憶部３０１、３０２、３０３と設定ＵＩ部２０８をとりあげながら以下に説明する。
【００２５】
ＭＦＰ１０１はスキャン機能として、画像読み取り部２０２から出力された画像信号をページ単位で各記憶部へ保存する。このデータはオリジナル原稿データであればＬＡＮ１０４を介してプリンタサーバへ保存され、追記画像データであれば追記画像データ記憶部へ保存される。
【００２６】
ＭＦＰ１０１およびＳＦＰ１０２はプリント機能として、クライアントＰＣ１０３から送信された画像データをプリンタサーバ１０５を介してネットワークＩＦ２０５で受信する。受信したデータがオリジナル原稿データであればデータ処理装置２０３でラスタデータに変換した後、画像出力部２０４で用紙上に画像形成を行う。
【００２７】
クライアントＰＣ１０３からのプリントジョブは一般的に、プリンタサーバ１０５にスプールされた後、プリンタへ送られ、当該のプリントジョブが終了した時点で消去されてしまう。しかし、本発明においてはオリジナル画像データを保存しておく必要がある。そこで、オリジナル画像データを印刷する際にはデータをプリンタサーバ１０５上のオリジナル画像データ記憶部３０１へ保存することを指定しなければならない。例えば、クライアントＰＣ１０３のプリンタドライバがＵＩ(不図示)上でその指定を受け付ければよい。
【００２８】
本発明の核となる上書き印刷は、ＭＦＰ１０１に装備された設定ＵＩ２０６からユーザにより指示される。前記指示に続いて一連の処理がデータ処理装置２０３内の不図示の制御部（ＣＰＵ）で実行される。ＳＦＰ１０２においてはスキャン機能がないため本システムのスキャンを用いた処理に関しては実行できない。ただし、プリンタサーバ１０５上の追記画像データ記憶部３０２にすでに画像がある場合には、上書き印刷も可能である。
【００２９】
次に、上記システム構成を用いて本発明における上書き印刷処理を実現する手順について処理の流れを追って説明する。
【００３０】
本システムを実現するための処理は大きく分けて追記画像データの抽出（図４）と追記（図５）の２つである。
【００３１】
まず、追記画像データの抽出処理について図４の流れに沿って説明する。
【００３２】
図４においてステップＳ４０１では上記プリンタ機能で述べた通り、オリジナル画像データを保存する。ステップＳ４０１の詳細を図７に示す。
【００３３】
クライアントＰＣ１０３からのプリントジョブで送られたＰＤＬデータのオリジナル画像データ７０１は、ＭＦＰ１０１で出力される(Ｓ７０２)。オリジナル画像データを保存の設定がされている場合にはプリンタサーバ１０５上にスプールされているＰＤＬデータをラスタ化し、オリジナル画像データ記憶部３０１へ保存する(Ｓ７０３)。
【００３４】
オリジナル画像データをＭＦＰ内のメモリではなくプリンタサーバ上へ保存することで、後に記載する追記画像データとの差分検出が同一のネットワーク上のＭＦＰであればどこからでも行える。これで追記画像データの抽出のための下準備が整ったことになる。
【００３５】
図４においてステップＳ４０３では加筆原稿のスキャンを行う。ここから追記画像データの抽出処理が開始する。まず、ＭＦＰ１０１の設定ＵＩ２０６で追記モードを選択する。
【００３６】
図１０はＭＦＰ１０１の設定ＵＩ２０６一例としてタッチパネルを表したものである。上記追記モードの選択は、追記モードのタブ１００１を選択することで行う。
【００３７】
続けて図１０の手順１．オリジナル画像を選択を行う。参照ボタン１００３をタッチし、プリンタサーバにあるオリジナル画像データの中から追記しようとしているものを選択する。選択された前記オリジナル画像データへのパスがアドレスバー１００２に表示される。これによりオリジナル画像データがＬＡＮ１０５を介してＭＦＰ１０１へダウンロードされる。
【００３８】
続けて図１０の手順２．追記画像データ抽出を行う。前記追記画像データ抽出処理はスキャンボタン１００４にタッチすることで開始する。
【００３９】
図４においてステップＳ４０３では加筆原稿をＡＤＦまたは原稿台にセットしてスキャンを行い、ラスタデータの追記画像データを取り込む。原稿が複数ページにわたる場合にはページ順に画像データを取り込む。取り込まれた前記画像データは追記画像データ記憶部３０２へ保存される。
【００４０】
ここで、追記画像データは紙媒体をスキャナで読み込んだものとして説明したが、オリジナル画像データに電子データとして追記がなされたものでも問題ない。その場合には、追記画像データはＬＡＮ１０４を介してプリンタサーバ１０５上の追記画像データ記憶部３０２へ保存される。
【００４１】
図４においてステップＳ４０４では取り込まれた画像データの追記画像データとオリジナル原稿データを照らし合わせ、データが一致しない領域を差分画像データが存在する領域として検出する。ステップＳ４０４の詳細を図６に示す。
【００４２】
図６は本発明の第１の実施の形態に係わる追記画像データの検出処理についてのフローチャートである。
【００４３】
まず、ステップＳ６０３ではオリジナル画像データ記憶部３０１のオリジナル画像データと追記画像データ記憶部３０２の追記画像データをＲＧＢ値の平均値を用いてグレースケール化する。
【００４４】
ここで、追記画像データ記憶部３０２の追記画像データはＰＤＬからラスタライズされたデータと異なりスキャナで読み込んだ画像データであるため、裏移りや下地に色が出てしまうことが考えられる。そこで前記問題に対処するために以下の処理を行う。
【００４５】
ステップＳ６０４では前記グレースケール化処理を行った追記画像データに対して下地飛ばしを行い、裏移りや下地のデータを排除する。下地飛ばしの一例としては、図１２に示したような１次元のルックアップテーブルを用い、実際の読み取り値よりも多きな値を返す方法がある。しかし前記以外のいかなる方法を用いてもよい。
【００４６】
ステップＳ６０５では前記下地飛ばし処理を行った追記画像データに対してノイズ除去を行い原稿台の汚れやスキャン時のノイズを除去する。ノイズ除去の方法としては例えば、孤立点を検出して除去する方法がある。しかし、どのような方法でも問題はない。
【００４７】
そして、ステップＳ６０８で前記追記画像データから前記オリジナル原稿データを引いて差分検出を行うことで、追記された画像部分が差分画像データ群６０９として検出される。
【００４８】
ステップＳ６１０で前記差分画像データ群をグループ化する。前記グループ化処理について図１１を用いて詳細を説明する。
【００４９】
図１１に示す星型の図形はあるページの検出された差分画像データとする。前記差分画像データが検出されたページを図１１に示すように適当なブロック(例えば５＊５ピクセル)に分割する。ブロック内に差分画像データが一部でも存在する場合、そのブロックには１のフラグ(図１１において太線で囲んだブロック)、全く差分画像データが入っていない場合にはそのブロックには０のフラグ(図１１において細線で囲んだブロック)をたてる。フラグを立てた画像にラベリング処理を施すことで単なる差分画像データ群が意味のある塊にグループ化される。図１１においては１１０１、１１０２、１１０３の３つの差分画像データが検出されている。次にグループ化された差分画像データを左上から走査し、初めて前記差分画像データにぶつかるごとにその差分画像データにデータＩＤを１から順に振る。図１１において１１０１のＩＤは１、１１０２のＩＤは２、１１０３のＩＤは３となる。
【００５０】
画像処理を施した追記画像データはＭＦＰ１０１内の一時メモリへスプールしてもよい。
【００５１】
オリジナル画像データと追記画像データを照らし合わせる際には対応するページを比較することはもちろん、ページの向きも重要となる。オリジナル画像データに、向きを明示する印を何らかの形で埋め込むことは一つの解決策である。この印は目に見えるバーコードのような印であっても、透かし印刷のような目に見えない印であってもよい。さらにこの印がページも識別できるものであれば間違ったデータ同士を比較することはなくなる。
【００５２】
図４にもどり、ステップＳ４０５では検出された差分画像データをデータＩＤごとに一つの画像データとして差分画像データ記憶部３０３へ記録する。その際に、前記差分画像データの属性情報としてデータＩＤ、発生元ＩＤ、優先度、発生時間、座標、ページ番号を同時に記録する。一例としては図１３に示したテーブルの様な形で保存される。
【００５３】
前記発生元ＩＤは印刷物が読み込まれた順番に１から番号が振られるものとする。
【００５４】
前記データＩＤは印刷物の読み込まれた順番に従い、かつ、上述通りページ内で検出された差分画像データの座標順に１から番号が振られるものとする。
【００５５】
差分画像データの優先度はユーザによる設定がなければ発生元ＩＤに基づくものとする。ユーザによる優先度の設定は設定ＵＩ２０８を用いて印刷物の読み込み前または後に行われるものとする。
【００５６】
ステップＳ４０３〜４０５はＳ４０６の判定に基づき、追記画像データのある原稿分だけ繰り返す。
【００５７】
次に、追記画像データの追記処理について図５の流れに沿って説明する。前記追記処理は設定ＵＩ２０８のプリントボタン１００５にタッチすることで開始する。
【００５８】
図５においてステップＳ５０１ではオリジナル画像データの余白領域を検出する。ラスタ化した前記オリジナル画像データ内で下地と判断される領域を余白とする。
【００５９】
ステップＳ５０２では優先度の高い差分画像データから、前記余白領域へ配置していく。ステップＳ５０２の詳細を図９に示す。
【００６０】
図９は、本発明において最も重要な処理のひとつである差分画像データの配置方法についてのフローチャートである。
【００６１】
差分画像データ９０１は、優先度に応じて差分画像データ記憶部３０３から順に取り出される。まず、優先度１の差分画像データ９０１を前記余白領域へ配置する(Ｓ９０６)。その際、ステップＳ９０２の判定はスルーである。優先度２以降の追記画像データ９０１を前記余白領域へ配置する際、先に配置された差分画像データ９０１と重なりが生じる場合がある（ステップＳ９０３）。そこで、ステップＳ９０３では重なりが生じた差分画像データ９０１の座標を他の前記余白領域へ移動させる。
【００６２】
移動させた前記差分画像データ９０１については元の位置がわかるよう、オプション設定の線引きモードがＯＮの場合は、差分画像データ９０１と元の座標の間に線を引きそれを示す。
【００６３】
ステップＳ９０４において前記追記画像データ９０１を配置する十分な余白が存在しない場合（Ｓ９０５）、ステップＳ９０５で前記差分画像データ９０１を縮小する。
【００６４】
ステップＳ９０２からステップＳ９０７の処理を、全ての差分画像データの配置が終わるまで繰り返す。
【００６５】
ステップＳ９０８において、差分画像データが全て配置された画像データを出力画像データ記憶部２０１へ保存する。
【００６６】
図５にもどり、出力データ記憶部２０１から出力データを読み込み、ステップＳ５０３において、手差しトレー２０７にセットされているオリジナル画像データが印刷されている紙へ上書き印刷を行う。
【００６７】
ステップＳ５０３において、オプション設定の色分けモードがＯＮの場合は差分画像データ３０３の発生元ＩＤに応じて色別に印刷する。
【００６８】
上記上書き印刷をもって、本発明における上書き印刷処理を実現する手順が終了となる。
【００６９】
次に、具体例を用いて本処理の例を示す。図１３はオリジナル画像データ(a)と、追記画像データを読み込んだ順に(b)から(e)まで並べている。差分データＢ１４０１と差分データＣ１４０２、差分データＤ１４０３と差分データＧ１４０４が重なるようになっている。前記画像データを用いて本発明の特徴的な処理を行った結果を図１５、図１６に示す。
【００７０】
図１５は、(a)オリジナル画像データに(b)追記画像データ１、(c)追記画像データ２、(d)追記画像データ３の差分データを上書き印刷したものである。差分データの優先度はデフォルトのままで、オプション設定に関しては差分データの移動前の位置を明示する設定と差分データを発生元ＩＤで色分けする設定がＯＮとなっている。座標位置が重なる差分データＢ１４０１と差分データＣ１４０２において、優先度の低い差分データＣ１４０２が他の余白へ移動している。
【００７１】
図１６は余白に(b)追記画像データ１、(c)追記画像データ２、(d)追記画像データ３、(e)追記画像データ4の差分データを上書き印刷したものである。差分データの優先度はデフォルトのままで、オプション設定に関しては白紙に印刷する設定がＯＮとなっているため、オリジナル画像データも印刷されている。座標位置が重なる差分データＤ１４０３と差分データＧ１４０４において、優先度の低い差分データＧ１４０４は移動しても十分な余白がないため、縮小されている。
【００７２】
（実施例２）
第２の実施の形態に係わる画像処理システムは、その基本的な構成が上記第１の実施の形態と同じであり、説明の繰り返しになる部分は省略する。
【００７３】
上記第１の実施の形態では、オリジナル画像データをクライアントＰＣ１０３からのＰＤＬデータとしてプリンタサーバへ保存する場合について説明したが、第２の実施の形態ではオリジナル画像データをスキャナから読み込んだラスタデータとしてプリンタサーバへ保存する場合について説明する。
【００７４】
図８は、本発明の第２の実施の形態に係わるオリジナル画像データ保存の流れについてのフローチャートである。
【００７５】
図８においてステップＳ８０１では原稿をＡＤＦまたは原稿台にセットしスキャンを行い、ラスタデータのオリジナル画像データ８０２を取り込む。スキャンしたオリジナル画像データはＰＤＬデータと異なり、裏移りや下地に色が出てしまうことが考えられるためこれらに対処するために以下の処理を行う。
【００７６】
図８においてステップＳ８０３では下地飛ばしをすることにより、裏移りや読み取り値の不足を解消する。図８においてステップＳ８０４ではノイズ除去を行い原稿台の汚れやスキャン時のノイズを除去する。以上の処理を行った画像データをオリジナル画像データとしてオリジナル画像データ記憶部３０１へ保存する。
【００７７】
（実施例３）
第３の実施の形態に係わる画像処理システムは、その基本的な構成が上記第１の実施の形態と同じであり、説明の繰り返しになる部分は省略する。
【００７８】
上記第１の実施の形態では、オリジナル画像データが印刷されている用紙に差分画像データのみを上書き印刷することを説明したが、第３の実施の形態では白紙へ印刷する場合について説明する。ステップ１７０１から１７０２については実施例１と同じであるため説明は省略する。
【００７９】
第３の実施の形態においては追記処理のフロー図１７において、ステップＳ１７０３の印刷の際に、出力画像データ記憶部３０３からのデータと同時に、オリジナル画像データ記憶部３０１からもデータを読み込み双方のデータをマージして出力する。
【００８０】
上記印刷処理をもって、本発明におけるオリジナル画像データおよび追記データを同時に印刷する処理が終了となる。
【図面の簡単な説明】
【００８１】
【図１】本発明の第１の実施例に係わるシステム全体の構成を表すブロック図
【図２】図１のＭＦＰ１０１の内部構成を表すブロック図
【図３】図１のプリンタサーバ１０５の内部構成を表すブロック図
【図４】追記画像データの抽出処理のフローチャート
【図５】追記処理のフローチャート
【図６】追記画像データ検出の詳細についてのフローチャート
【図７】オリジナル原稿データがＰＤＬデータ時のデータ保存処理のフローチャート
【図８】オリジナル原稿データがラスタデータ時のデータ保存処理のフローチャート
【図９】余白に追記画像データを配置する処理のフローチャート
【図１０】追記画像データ上書き処理の際のＭＦＰのＵＩ（タッチパネル）の例
【図１１】追記画像データのクラスタリングについての概念図
【図１２】下地飛ばしに用いる1次元ルックアップテーブルの例
【図１３】差分データの属性一覧
【図１４】オリジナル画像データと追記画像データの例
【図１５】上書き印刷結果の例（１）
【図１６】上書き印刷結果の例（２）
【図１７】白紙へ印刷する処理のフローチャート
【符号の説明】
【００８２】
２０２  画像読み取り部
２０３  データ処理装置
３０１  オリジナル画像データ記憶部
３０２  追記画像データ記憶部
【図１】
2009147435.tif 000003
【図２】
2009147435.tif 000004
【図３】
2009147435.tif 000005
【図４】
2009147435.tif 000006
【図５】
2009147435.tif 000007
【図６】
2009147435.tif 000008
【図７】
2009147435.tif 000009
【図８】
2009147435.tif 000010
【図９】
2009147435.tif 000011
【図１０】
2009147435.tif 000012
【図１１】
2009147435.tif 000013
【図１２】
2009147435.tif 000014
【図１３】
2009147435.tif 000015
【図１４】
2009147435.tif 000016
【図１５】
2009147435.tif 000017
【図１６】
2009147435.tif 000018
【図１７】
2009147435.tif 000019